【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
燃料電池システムにおいて使用するための冷却モジュールにおいて、
冷却剤を収容するように構成されたタンクと、
冷却剤と、
上記タンク内の上記冷却剤と上記燃料電池システムと流体連通されているポンプであって、上記冷却剤を上記燃料電池システムに搬送するように構成された上記ポンプと、
上記冷却剤と熱連通されるように構成された加熱要素と、
ポンプと信号連通され上記タンクと流体連通される少なくとも１つのセンサであって、十分な液体冷却剤があるか、また、ないかに応じた変化を検出して上記ポンプを起動するように構成されている上記少なくとも１つのセンサとを有することを特徴とする燃料電池システムにおいて使用するための冷却モジュール。
【請求項２】
上記冷却剤は冷凍状態または部分的に冷凍状態の少なくとも一方である請求項１記載の燃料電池システムにおいて使用するための冷却モジュール。
【請求項３】
上記センサは、液体状態または冷凍状態の冷却剤から離隔して位置付けられ、当該冷却剤の気相の性質を測定するように位置付けられる、請求項１または２記載の燃料電池システムにおいて使用するための冷却モジュール。
【請求項４】
上記センサは蒸気圧または蒸気温度の少なくとも一方の変化を測定する請求項３記載の燃料電池システムにおいて使用するための冷却モジュール。
【請求項５】
上記センサおよび上記ポンプと信号連通されたコントローラをさらに有し、当該コントローラは、上記センサの信号に応じて上記ポンプを起動するように構成されている請求項１〜４のいずれかに記載の燃料電池システムにおいて使用するための冷却モジュール。
【請求項６】
上記コントローラは、上記センサによって示される上記蒸気圧または上記蒸気温度の少なくとも一方の予め定められた設定ポイントが到達されるまで上記冷却剤を加熱するように構成される請求項５記載の燃料電池システムにおいて使用するための冷却モジュール。
【請求項７】
上記センサは上記冷却剤の中に配置される１または複数の水中ひずみゲージである請求項１または２記載の燃料電池システムにおいて使用するための冷却モジュール。
【請求項８】
上記冷却剤は水である請求項１〜７のいずれかに記載の燃料電池システムにおいて使用するための冷却モジュール。
【請求項９】
上記ポンプは、蠕動ポンプ、容量式ポンプ、および遠心力ポンプの少なくとも１つである請求項１〜８のいずれかに記載の燃料電池システムにおいて使用するための冷却モジュール。
【請求項１０】
上記センサは、電気機械スイッチである請求項１〜６のいずれかに記載の燃料電池システムにおいて使用するための冷却モジュール。
【請求項１１】
上記電気機械スイッチはバイメタルスイッチである請求項１０記載の燃料電池システムにおいて使用するための冷却モジュール。
【請求項１２】
上記センサは熱電対である請求項２記載の燃料電池システムにおいて使用するための冷却モジュール。
【請求項１３】
上記コントローラは、上記熱電対によって示される上記蒸気温度の予め定められた設定ポイントが到達されるまで上記冷却剤を加熱するように構成される請求項１２記載の燃料電池システムにおいて使用するための冷却モジュール。
【請求項１４】
上記センサは上記冷凍状態または部分的に冷凍状態の冷却剤の量の変化に応じて第１の方向および当該第１の方向と反対の第２の方向に動くように構成されたフロートを含む請求項２記載の燃料電池システムにおいて使用するための冷却モジュール。
【請求項１５】
上記加熱要素は電気抵抗ヒータを含む請求項１〜１４のいずれかに記載の燃料電池システムにおいて使用するための冷却モジュール。
【請求項１６】
上記加熱要素は上記燃料電池システムからの排気を含み、上記排気は、上記冷却剤が冷凍状態のときに上記冷却剤の少なくとも一部を解凍させるのに十分な温度である請求項１〜１４のいずれかに記載の燃料電池システムにおいて使用するための冷却モジュール。
【請求項１７】
さらに、上記冷却剤の中に配置された少なくとも１つの水中ひずみゲージを有する請求項５記載の燃料電池システムにおいて使用するための冷却モジュール。
【請求項１８】
燃料電池システムにおいて使用するための冷却モジュールにおいて、
冷却剤を収容するように構成されたタンクと、
水冷却剤と、
上記タンク内の上記水冷却剤と上記燃料電池システムと流体連通されているポンプであって、上記冷却剤を上記燃料電池システムに搬送するように構成された上記ポンプと、
上記水冷却剤および上記タンクの少なくとも一方と熱連通される加熱要素であって、上記素水冷却剤を加熱するように構成された上記加熱要素と、
コントローラと信号連通され、かつ上記タンクの一部と物理的に接触する少なくとも１つのセンサであって、上記水が上記タンクまたはその任意の一部に加える応力の変化を検出するように構成された上記少なくとも１つのセンサとを有し、
上記水冷却剤の相が上記ポンプを起動するのに十分な液体が存在するのか、または存在しないのかに対応し、
上記コントローラは、センサデータを処理し、上記ポンプを起動するように構成されることを特徴とする燃料電池システムにおいて使用するための冷却モジュール。
【請求項１９】
上記水冷却剤は冷凍状態または部分的に冷凍状態の少なくとも一方である請求項１８記載の燃料電池システムにおいて使用するための冷却モジュール。
【請求項２０】
上記センサは上記タンクの外側部分に位置付けられ上記水冷却剤中に浸漬されない請求項１８または１９記載の燃料電池システムにおいて使用するための冷却モジュール。
【請求項２１】
燃料電池システムにおいて使用するための流動性冷却剤を検出する方法において、
冷却剤をタンクに案内するステップと、
加熱要素を用いて上記冷却剤を加熱するステップと、
上記タンクと流体連通されたセンサを介して上記冷却剤に関連する変化を測定するステップと、
上記センサと信号連通するコントローラを用いて上記測定の結果を処理するステップと、
十分な液体性冷却剤が上記燃料電池に搬送するの利用可能かどうかを上記測定の結果から決定するステップと、
上記コントローラと信号連通されているポンプであって、上記タンクおよび上記燃料電池システムと流体連通されている上記ポンプを起動して、当該ポンプを介して上記液体性冷却剤を上記燃料電池システムに移動させるステップとを有することを特徴とする燃料電池システムにおいて使用するための流動性冷却剤を検出する方法。
【請求項２２】
上記冷却剤は水である請求項２１記載の燃料電池システムにおいて使用するための流動性冷却剤を検出する方法。
【請求項２３】
上記加熱するステップは、上記タンク中に蒸気を生成するステップを含み、上記センサは蒸気圧および蒸気温度の少なくとも一方を測定する請求項２１または２２記載の燃料電池システムにおいて使用するための流動性冷却剤を検出する方法。
【請求項２４】
上記センサは蒸気冷却剤の中に配置された１または複数の水中ひずみゲージである請求項２２記載の燃料電池システムにおいて使用するための流動性冷却剤を検出する方法。
【請求項２５】
上記センサは、熱電対、バイメタルスイッチ、圧力センサ、ひずみゲージ、または、上記冷凍状態または部分的に冷凍状態の冷却剤の量の変化に応じて第１の方向および当該第１の方向と反対の第２の方向に動くように構成されたフロートである請求項２１〜２４のいずれかに記載の燃料電池システムにおいて使用するための流動性冷却剤を検出する方法。